(57)【要約】【課題】電極間接続部を設けることによる輝度低下や表示不良の発生を抑制する。【解決手段】液晶表示装置は、３つの副画素ごとに設けられた副画素電極（１０１ａ〜１０１ｃ）と、副画素電極（１０１ａ〜１０１ｃ）のうちの隣り合う副画素電極（１０１ａ〜１０１ｃ）同士を接続する電極間接続部（１０３）とを有し、電極間接続部（１０３）は、隣り合う副画素の液晶配向方向の境界同士がつながる位置に設けられている。【選択図】図１
2019168615.tif 000002
【特許請求の範囲】
【請求項１】
分割された３つの副画素からなる画素を複数備えた液晶表示装置であって、
前記副画素ごとに設けられた副画素電極と、
前記副画素電極のうちの隣り合う副画素電極同士を接続する電極間接続部とを有し、
前記電極間接続部は、隣り合う副画素の液晶配向方向の境界同士がつながる位置に設けられていることを特徴とする液晶表示装置。
【請求項２】
前記電極間接続部は、前記副画素の長辺の中心部に設けられていることを特徴とする請求項１に記載の液晶表示装置。
【請求項３】
液晶配向方向を制御する構造物を有し、
前記構造物は、少なくとも２つが隣り合う副画素に跨るように形成され、
前記電極間接続部は、前記２つの構造物ごとに設けられ、かつ対応する前記構造物の少なくとも一部と重なるように設けられていることを特徴とする請求項１に記載の液晶表示装置。
【請求項４】
前記電極間接続部は、電極間接続部の中心線が、対応する構造物の中心線と重なるように設けられていることを特徴とする請求項３に記載の液晶表示装置。
【請求項５】
前記構造物は、隣り合う副画素電極の間において、副画素電極の長辺方向に沿って延びる分岐延設部が除去されていることを特徴とする請求項３または４に記載の液晶表示装置。
【請求項６】
前記３つの副画素は、１つの画素がソース信号線にて３分割されることに形成され、
アクティブマトリクス基板を有する液晶表示パネルと、バックライト装置とを備え、
前記バックライト装置が全面に少なくとも赤緑青の光を時間分割して発光し、この発光に同期して前記液晶表示パネルの表示を切り替えることによりカラー表示を行うことを特徴とする請求項１から５のいずれか１項に記載の液晶表示装置。
【発明の詳細な説明】
【技術分野】
【０００１】
本発明は、例えば時分割駆動型液晶表示装置として利用できる液晶表示装置に関する。
【背景技術】
【０００２】
従来、例えば、ＦＳＣ(Field Sequential Color)方式の時分割駆動型液晶表示装置が知られている。この液晶表示装置は、例えば特許文献１に記載されているように、ゲートラインを３本ずつ同時に走査して信号を書き込むようにしている。
【先行技術文献】
【特許文献】
【０００３】
【特許文献１】特許第４５７９２０４号公報
【発明の概要】
【発明が解決しようとする課題】
【０００４】
ところが、特許文献１に記載のように、ゲートドライバが３本のゲートラインを同時に駆動する構成は、ゲートドライバがゲートラインを１本ずつ駆動する構成と比較して、ゲートラインを引き回す領域が３倍になる。したがって、例えばゲートドライバが３本のゲートラインを同時に駆動する時分割駆動型液晶表示装置の設計には、ゲートドライバがゲートラインを１本ずつ駆動する液晶表示装置の設計に対して、大きな設計変更が必要になる。このため、時分割駆動型液晶表示装置は、新規にマスクを設計して製造する必要があり、設計コストが高価になる。
【０００５】
そこで、設計コストを低減するために、３つの副画素ごとに副画素電極を有する従来の液晶表示装置の設計を利用し、３つの副画素電極同士を接続して１つの画素電極を形成することが考えられる。しかしながら、単純に３つの副画素電極同士を接続した場合には、副画素電極同士を接続する前の状態から液晶配向方向が大幅に変化し、液晶表示装置の輝度低下や表示不良が発生するという問題点を有している。
【０００６】
したがって、本発明は、設計コストを低減でき、かつ輝度低下や表示不良を抑制することができる液晶表示装置の提供を目的としている。
【課題を解決するための手段】
【０００７】
上記の課題を解決するために、本発明の一態様に係る液晶表示装置は、分割された３つの副画素からなる画素を複数備えた液晶表示装置であって、前記副画素ごとに設けられた副画素電極と、前記副画素電極のうちの隣り合う副画素電極同士を接続する電極間接続部とを有し、前記電極間接続部は、隣り合う副画素の液晶配向方向の境界同士がつながる位置に設けられている。
【発明の効果】
【０００８】
本発明の一態様によれば、液晶表示装置は、隣り合う副画素電極同士を接続する電極間接続部を設けることによる液晶配向方向のずれを抑制し、輝度低下や表示不良の発生を抑制することができる。
【図面の簡単な説明】
【０００９】
【図１】本発明の実施形態の液晶表示装置の、３つに分割されていた副画素電極を接続して形成した画素電極を有する液晶表示パネルの説明図である。
【図２】本発明の実施形態の液晶表示装置が備える液晶表示パネルの概略の縦断面図である。
【図３】図１に示した画素電極の副画素電極同士の未接続状態の液晶配向方向を示す説明図である。
【図４】図１に示した画素電極を有する液晶表示パネルでの液晶配向方向を示す説明図である。
【図５】図１に示した画素電極に対する比較例に係る液晶表示パネルでの液晶配向方向を示す説明図である。
【図６】図６の（ａ）は、本発明の他の実施形態の液晶表示装置の、３つに分割されていた副画素電極を接続して形成した画素電極を有する液晶表示パネルの説明図、図６の（ｂ）は、図６の（ａ）の液晶表示パネルから対向基板上の構造物を取り除いた状態を示す説明図である。
【図７】図６の（ａ）に示した液晶表示パネルでの液晶配向方向を示す説明図である。
【図８】図７に示した領域Ｇおよびその付近の拡大図である。
【図９】図９の（ａ）は、本発明の他の実施形態の液晶表示装置の、３つに分割されていた副画素電極を接続して形成した画素電極を有する液晶表示パネルの説明図、図９の（ｂ）は、図９の（ａ）の液晶表示パネルから対向基板上の構造物を取り除いた状態を示す説明図である。
【図１０】図９の（ａ）に示した液晶表示パネルでの液晶配向方向を示す説明図である。
【図１１】図１１の（ａ）は、本発明のさらに実施形態の液晶表示装置の、３つに分割されていた副画素電極を接続して形成した画素電極を有する液晶表示パネルの説明図、図１１の（ｂ）は、図１０の（ａ）の液晶表示パネルから対向基板上の構造物１４５を取り除いた状態を示す説明図である。
【図１２】図１１の（ａ）に示した液晶表示パネルでの液晶配向方向を示す説明図である。
【図１３】図１２に示した領域Ｌおよびその付近の拡大図である。
【図１４】本発明の実施形態の液晶表示装置の構成を適用可能な参考形態の液晶表示装置を示す概略のブロック図である。
【図１５】図１４に示した液晶表示装置が備える液晶表示パネルの概略の縦断面図である。
【図１６】図１５に示したＴＦＴ基板の構成を示す概略の回路図である。
【図１７】図１６に示したＴＦＴ基板の実体的な構成の一例を示す平面図である。
【図１８】図１７に示した構成に即した、図１６に示したＴＦＴ基板の回路図に対応する回路図である。
【図１９】本発明の実施形態の液晶表示装置の構成を適用可能な他の参考形態の液晶表示装置の構成を示す概略のブロック図である。
【図２０】図１９に示した液晶表示パネルが備えるＴＦＴ基板の構成を示す概略の回路図である。
【図２１】図２０に示したＴＦＴ基板の実体的な構成の一例を示す平面図である。
【図２２】図２１に示した構成に即した、図２０に示したＴＦＴ基板の回路図に対応する回路図である。
【図２３】図２３の（ａ）は、ＣＦを使用した従来の液晶表示装置における、ＣＯＦを使用したゲートドライバと液晶表示パネルとの接続部の構成を示す説明図である。図２３の（ｂ）は、図１９に示した液晶表示装置における、ＣＯＦを使用したゲートドライバと液晶表示パネルとの接続部の構成を示す説明図である。
【図２４】本発明の実施形態の液晶表示装置の構成を適用可能なさらに他の参考形態の液晶表示装置の液晶表示パネルが備えるＴＦＴ基板の構成を示す概略の回路図である。
【発明を実施するための形態】
【００１０】
〔実施形態１〕
本発明の実施形態を図面に基づいて以下に説明する。図１は、本実施形態の液晶表示装置の、３つに分割されていた副画素（絵素）電極１０１ａ〜１０１ｃを接続して形成した画素電極１０１を有する液晶表示パネル１１１の説明図である。図２は、本実施形態の液晶表示装置が備える液晶表示パネル１１１の概略の縦断面図である。
【００１１】
図２に示すように、液晶表示パネル１１１は、ＴＦＴ基板（アクティブマトリクス基板）２１と対向基板２２とが対向配置され、これらＴＦＴ基板２１と対向基板２２との間に液晶層２３が設けられている。また、ＴＦＴ基板２１および対向基板２２の内面には、配向膜１１２が設けられている。符号１９はバックライト装置である。なお、この液晶表示パネル１１１の構成については、以下の他の実施形態の液晶表示パネルについても同様である。
【００１２】
（液晶表示パネル１１１の構成）
液晶表示パネル１１１は、図１に示すように、３つに分割されていた副画素（絵素）電極１０１ａ〜１０１ｃを接続することにより１つの画素電極１０１が形成されている。液晶表示パネル１１１の液晶モードは、垂直配向のマルチドメイン型であり、光配向によって配向制御を行うＵＶ２Ａと呼ばれるモードである。
【００１３】
液晶表示パネル１１１のＴＦＴ基板２１は、従来の、カラーフィルタを備えた液晶表示パネルのＴＦＴ基板の設計を利用して設計されている。この従来のＴＦＴ基板は、各行に含まれる各画素を赤用、緑用および青用の３つの副画素（絵素）に分割しており、それら副画素に対応した副画素電極１０１ａ〜１０１ｃを有している。また、液晶表示パネル１１１では従来の液晶表示パネルのカラーフィルタを除去している。この点は、以下の他の実施形態の液晶表示パネルについても同様である。
【００１４】
液晶表示パネル１１１は、具体的には、副画素電極１０１ａと副画素電極１０１ｂとが１つの電極間接続部１０３にて接続され、同様に、副画素電極１０１ｂと副画素電極１０１ｃとが１つの電極間接続部１０３にて接続されている。
【００１５】
図１では、各副画素電極１０１ａ〜１０１ｃに対応する各副画素（絵素）内の液晶分子１０２の配向方向（以下、単に液晶配向方向と称する）と電極間接続部１０３の位置との関係を示している。
【００１６】
図１において、矢印（実線矢印および点線矢印）は、基板上での液晶配向制御方向を示している。なお、実線矢印は、上基板（対向基板２２）側の液晶配向制御方向を示し、点線矢印は、下基板（ＴＦＴ基板２１）側の液晶配向制御方向を示している。先の細い棒は液晶分子１０２であり、液晶分子１０２の向きは、液晶セルの厚み方向中央の液晶配向方向を示している。副画素を縦横に４分割する点線は、互いに液晶配向方向が異なる領域の境界（以下、液晶配向境界と称する）を示している。
【００１７】
電極間接続部１０３は、隣り合う副画素電極同士（副画素電極１０１ａと副画素電極１０１ｂ、副画素電極１０１ｂと副画素電極１０１ｃ）を各副画素の液晶配向境界同士をつなぐ位置にて接続している。本実施形態の形態において、電極間接続部１０３の位置は、副画素電極１０１ａ〜１０１ｃの長辺の中央部の一か所となっている。
【００１８】
（副画素電極同士の未接続状態の液晶配向方向）
図３は、図１に示した画素電極１０１の副画素電極１０１ａ〜１０１ｃ同士の未接続状態の液晶配向方向を示す説明図である。
【００１９】
電極間接続部１０３による副画素電極１０１ａ〜１０１ｃ同士の未接続状態では、副画素電極１０１ａ〜１０１ｃに対応する各副画素の液晶配向方向は、図３に示すとおりである。なお、上基板に設けられた偏光板の吸収軸は、図３の左右方向（実線）であり、下基に設けられた偏光板の吸収軸は図３の上下方向（実線）である。
【００２０】
図３に示す例では、各副画素電極１０１ａ〜１０１ｃには、副画素（副画素電極１０１ａ〜１０１ｃ）の中心を中心として、液晶分子１０２ａの配向方向（液晶配向方向）が互いに異なる４つの領域が生じている。これら４つの領域は、逆卍状の暗線（液晶分子１０２ａの向きが偏光軸に揃う領域）が液晶配向境界１０４となっている。
【００２１】
（液晶表示パネル１１１での液晶配向方向）
図４は、図１に示した画素電極１０１を有する液晶表示パネル１１１での液晶配向方向を示す説明図である。図４では、副画素内での液晶分子１０２ａの配向方向を白色の棒にて示し、電極間接続部１０３を設けたことにより生じた液晶分子１０２ｂの配向方向を灰色の棒にて示している。
【００２２】
図１に示した電極間接続部１０３の位置での副画素電極１０１ａ〜１０１ｃ同士の接続によれば、図４に示すように、液晶配向方向は、図３に示した、電極間接続部１０３を設けていない場合の液晶配向方向に対して、大きなずれは生じていない。また、図１（図４）に示した構成の液晶表示パネル１１１では、輝度低下や表示不良が発生しなかった。
【００２３】
（比較例１）
図５は、図１（図４）に示した画素電極１０１に対する比較例に係る液晶表示パネル２１１での液晶配向方向を示す説明図である。図５に示す液晶表示パネル２１１の画素電極２０１では、画素電極１０１の電極間接続部１０３の位置とは異なり、副画素の液晶配向境界１０４とは異なる位置の２個所に電極間接続部１０３を設けている。
【００２４】
液晶表示パネル２１１では、図５に示すように電極間接続部１０３を設けた結果、副画素内と電極間接続部１０３の位置とで、液晶配向方向が大きく合わない領域（領域Ｃ）や、暗線が副画素内に入り込む領域（領域Ｄ）が発生した。このような液晶配向方向の状態は、図３に示した副画素電極１０１ａ〜１０１ｃ同士の未接続状態の液晶配向方向の状態と比較して、大きく変化していることが分かる。
【００２５】
液晶表示パネル２１１での上記のような液晶配向方向の状態は、副画素内と電極間接続部１０３とによる異なる２つの配向制御が競合したために生じた。このような液晶表示パネル２１１では、液晶配向状態が不安定となり、輝度低下や表示不良が発生した。
【００２６】
（液晶表示パネル１１１を備えた液晶表示装置の利点）
液晶表示パネル１１１のＴＦＴ基板２１は、従来の、カラーフィルタを備えた液晶表示パネルのＴＦＴ基板の設計を利用し、３つの副画素電極１０１ａ〜１０１ｃを電極間接続部１０３にて接続することにより１つの画素電極１０１を形成している。これにより、設計コストを低減し、低価格にて例えばフィールドシーケンシャルカラー方式の液晶表示装置を製造することができる。この点は、以下の他の実施形態の液晶表示装置においても同様である。
【００２７】
また、隣り合う副画素電極１０１ａ〜１０１ｃ同士を電気的に接続する電極間接続部１０３は、各副画素の液晶配向境界１０４同士をつなぐ位置に設けている。これにより、液晶表示パネル１１１での液晶配向方向は、電極間接続部１０３を設けていない場合の液晶配向方向に対して、大きなずれは生じず、電極間接続部１０３を設けることによる、各副画素内の液晶配向方向への影響を抑制することができる。この結果、液晶表示パネル１１１は、輝度低下や表示不良の発生を防止することができる。
【００２８】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００２９】
図６の（ａ）は、本実施形態の液晶表示装置の、３つに分割されていた副画素電極（絵素）１２１ａ〜１２１ｃを接続して形成した画素電極１２１を有する液晶表示パネル１３１の説明図、図６の（ｂ）は、図６の（ａ）の液晶表示パネル１３１から対向基板２２（図２参照）上の構造物１４３を取り除いた状態を示す説明図である。
【００３０】
なお、図６の（ａ）では、便宜上、副画素電極１２１ａ〜１２１ｃを電極間接続部１０３にて接続する前の液晶配向方向（液晶分子１０２ａの配向方向）を示している。すなわち、図６の（ａ）は、副画素内の液晶配向方向を制御する構造物１４３、液晶配向方向、および電極間接続部１０３の位置を示している。ただし、図６の（ａ）並びに後述する図７および図８では、電極間接続部１０３は、構造物１４３の下に隠れている。また、図６の（ｂ）では、電極間接続部１０３を分かり易くするため、構造物１４３を除去している。
【００３１】
（液晶表示パネル１３１の構成）
液晶表示パネル１３１は、図６の（ａ）に示すように、３つに分割されていた副画素（絵素）電極１２１ａ〜１２１ｃの隣り合うもの同士を電極間接続部１０３にて接続することにより１つの画素電極１２１が形成されている。液晶表示パネル１３１の液晶モードは、垂直配向のマルチドメイン型であり、基板上に設けた構造物やスリットを用いて液晶配向を制御するＭＶＡと呼ばれるモードである。
【００３２】
液晶表示パネル１３１のＴＦＴ基板２１（図２参照）上には、図６の（ａ）に示す副画素電極１２１ａ〜１２１ｃが設けられている。副画素電極１２１ａ〜１２１ｃにおいて、白く抜けているところは配向制御用のスリット１４１、および微細スリット１４２である。また、対向基板２２（図２参照）上には、配向制御用の構造物１４３が設けられている。これら構造物１４３やスリット１４１および微細スリット１４２により、副画素内において液晶分子１０２ａの所望の液晶配向方向が実現される。
【００３３】
なお、構造物１４３は、隣り合う副画素電極１０１ａ〜１０１ｃの間において、副画素電極１０１ａ〜１０１ｃの長辺方向に沿って延びる分岐延設部１４３ａを有している。この分岐延設部１４３ａは、副画素の端縁部の液晶配向方向を補正するために設けられている。具体的には、副画素の端縁部の液晶配向方向は副画素の内部の液晶配向方向とは合致せず、そのままでは液晶表示パネル１３１は輝度低下を生じる。そこで、分岐延設部１４３ａを設けることにより、副画素の端縁部の液晶配向方向を副画素の内部の液晶配向方向と合致するように補正し、液晶表示パネル１３１の輝度低下を防止している。
【００３４】
液晶表示パネル１３１では、副画素電極１２１ａと副画素電極１２１ｂとが２つの電極間接続部１０３にて接続され、同様に、副画素電極１２１ｂと副画素電極１２１ｃとが１つの電極間接続部１０３にて接続されている。
【００３５】
電極間接続部１０３は、図６の（ａ）に示すように、隣り合う副画素間に位置する構造物１４３と少なくとも一部が重なる領域に設けられている。具体的には、構造物１４３は、隣り合う副画素に亘って連続するような形状であり（少なくとも２つが隣り合う副画素に跨るように形成され）、かつ２つ（２本）の構造物１４３が互いに逆方向に傾斜し、副画素（副画素電極１２１ａ〜１２１ｃ）の長辺の中央部を中心として対称となる形状に設けられている。したがって、構造物１４３は、隣り合う副画素同士の間に２つの接続部が存在する。電極間接続部１０３は、２つの構造物１４３ごとに設けられ、それら２つの構造物１４３の接続部の真下であり、電極間接続部１０３の中心線が構造物１４３の接続部の中心線と重なる位置にて、隣り合う副画素電極１２１ａ〜１２１ｃを接続するように設けられている。なお、電極間接続部１０３は、上記の配置状態が好ましいものの、対応する構造物１４３（構造物１４３の接続部）の少なくとも一部と重なるように設けられていてもよい。
【００３６】
また、図６の（ａ）に示すように、構造物１４３にて仕切られた、隣り合う副画素間に亘る領域内では、液晶配向方向は同様となっている。
【００３７】
（液晶表示パネル１３１での液晶配向方向、および利点）
図７は、画素電極１２１を有する液晶表示パネル１３１での液晶配向方向を示す説明図である。図８は、図７に示した領域Ｇおよびその付近の拡大図である。
【００３８】
図７および図８では、副画素電極１２１ａ〜１２１ｃを電極間接続部１０３にて接続して画素電極１２１を形成したことにより、液晶配向方向が図６の（ａ）に示した状態から変化した状態を示している。図７および図８では、副画素内での液晶分子１０２ａの配向方向を白色の棒にて示し、電極間接続部１０３を設けたことにより生じた液晶分子１０２ｂの配向方向を灰色の棒にて示している。
【００３９】
液晶表示パネル１３１では、電極間接続部１０３を隣り合う副画素間の構造物１４３の２つの接続部の真下に（詳細には、電極間接続部１０３の中心線が構造物１４３の接続部の中心線と重なる位置に）設けることにより、隣り合う副画素の液晶配向方向の境界同士をつなぐような副画素電極１２１ａ〜１２１ｃ同士の接続を実現することができた。
【００４０】
これにより、液晶表示パネル１３１での液晶配向方向は、図７および図８に示すように、図６の（ａ）に示した液晶配向方向からのずれが少なく、液晶表示パネル１３１は、輝度低下や表示不良が発生しなかった。
【００４１】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００４２】
図９の（ａ）は、本実施形態の液晶表示装置の、３つに分割されていた副画素電極（絵素）１２１ａ〜１２１ｃを接続して形成した画素電極１２１を有する液晶表示パネル１３２の説明図、図９の（ｂ）は、図９の（ａ）の液晶表示パネル１３２から対向基板２２（図２参照）上の構造物１４３を取り除いた状態を示す説明図である。
【００４３】
なお、図９の（ａ）では、図６の（ａ）と同様、便宜上、副画素電極１２１ａ〜１２１ｃを電極間接続部１０３にて接続する前の液晶配向方向（液晶分子１０２ａの配向方向）を示している。また、図９の（ｂ）では、図６の（ｂ）と同様、電極間接続部１０３を分かり易くするため、構造物１４３を除去している。
【００４４】
（液晶表示パネル１３２の構成）
液晶表示パネル１３２は、液晶表示パネル１３１と同様、図９の（ａ）に示すように、３つに分割されていた副画素（絵素）電極１２１ａ〜１２１ｃの隣り合うもの同士を電極間接続部１０３にて接続することにより１つの画素電極１２２が形成されている。
【００４５】
液晶表示パネル１３２の電極間接続部１０３の位置は、副画素電極１２１ａ〜１２１ｃの長辺の中央部の一か所となっている。
【００４６】
さらに、電極間接続部１０３の位置は、平面視においてＣｓ電極（補助容量電極）１４４と重なり合う位置となっている。液晶表示パネル１３２のその他の構成は液晶表示パネル１３１と同様である。
【００４７】
（液晶表示パネル１３２での液晶配向方向、および利点）
図１０は、液晶表示パネル１３２での液晶配向方向を示す説明図である。図１０では、副画素電極１２１ａ〜１２１ｃを電極間接続部１０３にて接続し、画素電極１２１を形成したことにより、液晶配向方向が図９の（ａ）に示した状態から変化した状態を示している。図１０では、副画素内での液晶分子１０２ａの配向方向を白色の棒にて示し、電極間接続部１０３を設けたことにより生じた液晶分子１０２ｂの配向方向を灰色の棒にて示している。
【００４８】
液晶表示パネル１３２では、電極間接続部１０３を副画素電極１２１ａ〜１２１ｃの長辺の中央部に設けることにより、隣り合う副画素の液晶配向方向の境界同士をつなぐような副画素電極１２１ａ〜１２１ｃ同士の接続を実現することができた。
【００４９】
これにより、液晶表示パネル１３２での液晶配向方向は、図１０に示すように、図９の（ａ）に示した液晶配向方向からのずれが少ない。また、電極間接続部１０３の位置は、平面視においてＣｓ電極１４４と重なり合う位置となっており、Ｃｓ電極１４４は遮光体である。したがって、電極間接続部１０３の位置での液晶配向方向の変化は視認されない。このようなことから、液晶表示パネル１３２は、輝度低下や表示不良が発生しなかった。
【００５０】
なお、図１０に示した液晶配向方向が図７に示した液晶配向方向と異なっているのは、電極間接続部１０３をＣｓ電極１４４と重なり合うように設けたとこによる。
【００５１】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００５２】
図１１の（ａ）は、本実施形態の液晶表示装置の、３つに分割されていた副画素電極（絵素）１２１ａ〜１２１ｃを接続して形成した画素電極１２３を有する液晶表示パネル１３３の説明図、図１１の（ｂ）は、図１０の（ａ）の液晶表示パネル１３２から対向基板２２（図２参照）上の構造物１４５を取り除いた状態を示す説明図である。
【００５３】
なお、図１１の（ａ）では、図６の（ａ）と同様、便宜上、副画素電極１２１ａ〜１２１ｃを電極間接続部１０３にて接続する前の液晶分子１０２ａの液晶配向方向を示している。また、図１１の（ｂ）では、図６の（ｂ）と同様、電極間接続部１０３を分かり易くするため、構造物１４５を除去している。
【００５４】
（液晶表示パネル１３３の構成）
液晶表示パネル１３３は、液晶表示パネル１３１と同様、図１１の（ａ）に示すように、３つに分割されていた副画素（絵素）電極１２１ａ〜１２１ｃの隣り合うもの同士を電極間接続部１０３にて接続することにより１つの画素電極１２３が形成されている。液晶表示パネル１３３の電極間接続部１０３の位置は、図６の（ａ）の場合と同様、隣り合う副画素間に位置する構造物１４５と少なくとも一部が重なる領域である。
【００５５】
液晶表示パネル１３３の電極間接続部１０３の幅は、液晶表示パネル１１１，１３１，１３２の電極間接続部１０３の幅よりも広くなっている。例えば液晶表示パネル１１１，１３１，１３２の電極間接続部１０３の幅を１０μｍ以下とした場合、液晶表示パネル１３３の電極間接続部１０３の幅は５０μｍ程度とする。
【００５６】
液晶表示パネル１３３は、液晶表示パネル１３１，１３２が備えていた構造物１４３に代えて、構造物１４５を備えている。電極間接続部１０３は、図１１の（ａ）並びに後述する図１２および図１３に示すように、構造物１４５の下に位置するものの、構造物１４５の幅よりも広い幅を有するので、構造物１４５からはみ出した状態である。構造物１４５は、分岐延設部１４３ａを有しておらず、この点を除く構造物１４５の他の構成は、構造物１４３と同様である。
【００５７】
（液晶表示パネル１３３での液晶配向方向、および利点）
図１２は、液晶表示パネル１３３での液晶配向方向を示す説明図である。図１３は、図１２に示した領域Ｌおよびその付近の拡大図である。
【００５８】
図１２および図１３では、副画素電極１２１ａ〜１２１ｃを電極間接続部１０３にて接続し、画素電極１２１を形成したことにより、液晶配向方向が図１１の（ａ）に示した状態から変化した状態を示している。図１２および図１３では、副画素内での液晶分子１０２ａの配向方向を白色の棒にて示し、電極間接続部１０３を設けたことにより生じた液晶分子１０２ｂの配向方向を灰色の棒にて示している。
【００５９】
液晶表示パネル１３３では、電極間接続部１０３を副画素電極１２１ａ〜１２１ｃの長辺の中央部に設けることにより、隣り合う副画素の液晶配向方向の境界同士をつなぐような副画素電極１２１ａ〜１２１ｃ同士の接続を実現することができた。この場合、電極間接続部１０３は、他の実施形態の電極間接続部１０３よりも広くした。
【００６０】
これにより、液晶表示パネル１３３での液晶配向方向は、図１２および図１３に示すように、図１１の（ａ）に示した液晶配向方向からのずれが少なくなった。特に、本実施形態では、電極間接続部１０３を境とした左右の副画素領域において、液晶配向方向が同じになった。
【００６１】
この点を詳細に説明すると、相対的に広い幅の電極間接続部１０３を有する液晶表示パネル１３３では、図１３の領域Ｌに示すように、電極間接続部１０３を挟んだ両側の副画素において、液晶配向方向が全体的に右上または左下に揃っている。一方、相対的に狭い幅の電極間接続部１０３を有する液晶表示パネル１３１では、図８の領域Ｇに示すように、電極間接続部１０３を挟んだ両側の副画素において、液晶配向方向が全体的に右上または左下には揃っておらず、それら方向とは異なる液晶配向方向となっている部分が存在する。
【００６２】
液晶表示パネル１３３において、上記のように液晶配向方向が揃っていることについては、構造物１４５が隣り合う副画素電極１２１ａ〜１２１ｃの間に分岐延設部１４３ａを有していないことも寄与している。この結果、液晶表示パネル１３３は、輝度低下や表示不良が発生しなかった。
【００６３】
なお、図１３の例では、液晶配向方向の最も好ましい状態が実現できる一方、バスラインと画素電極１２３との重複する領域が増えることから、寄生容量の影響が大きくなることが予測される。したがって、既存のＴＦＴ作製プロセス条件を変えずに液晶表示装置を製造する場合には、実施形態２，３の構成、および絶縁層膜厚等のプロセス条件変更を施した上での本実施形態４の構成が好ましい。
【００６４】
以上に示した電極間接続部１０３の構成は、以下に示す電極間接続部３４を備えた各参考形態の液晶表示装置に適用可能である。
【００６５】
〔参考形態１〕
本発明の参考形態を図面に基づいて以下に説明する。
【００６６】
（液晶表示装置１の概要）
図１４は、本参考形態の液晶表示装置の構成を示す概略のブロック図である。図１５は、図１４に示した液晶表示装置が備える液晶表示パネルの概略の縦断面図である。
【００６７】
図１４に示すように、液晶表示装置１は、液晶表示パネル１１、ソースドライバＳＤ、ゲートドライバＧＤ（ＧＤ１〜ＧＤ３）、表示制御回路１８およびバックライト装置１９を備えている。図１４に示すように、ゲートドライバＧＤは、一般的には複数のゲートドライバＧＤ（ゲートドライバＧＤ素子）から構成されている。図１４の例では３つのゲートドライバＧＤ１〜ＧＤ３から構成されている。この場合、一つのゲートドライバＧＤにおいてスキャン信号が最初の行から最終の行まで送出されると、その情報が次段のゲートドライバＧＤに伝えられ、当該次段のゲートドライバＧＤが、同様にして、スキャン信号を送出する。
【００６８】
液晶表示パネル１１は、マトリクス状に設けられたソース信号線Ｓおよびゲート信号線Ｇを有する。液晶表示パネル１１は、図１５に示すように、ＴＦＴ基板（アクティブマトリクス基板）２１と対向基板２２とが対向配置され、これらＴＦＴ基板２１と対向基板２２との間に液晶層２３が設けられている。
【００６９】
ソースドライバＳＤは液晶表示パネル１１のソース信号線Ｓを駆動し、ゲートドライバＧＤは液晶表示パネル１１のゲート信号線Ｇを駆動する。表示制御回路１８は、外部から供給された制御信号と表示データとに基づき、ゲートドライバＧＤに対して、ゲート信号線Ｇの走査を指示する制御信号を出力し、ソースドライバＳＤに対して、クロック信号、スタートパルスおよび映像データ等を出力する。
【００７０】
表示制御回路１８が出力したスタートパルスはゲートドライバＧＤ１のみに入力され、その後、スタートパルスは、ゲートドライバＧＤ２へはゲートドライバＧＤ１から入力され、ゲートドライバＧＤ３へはゲートドライバＧＤ２から入力される。
【００７１】
バックライト装置１９は、赤、緑、青の光を切り替えて液晶表示パネル１１の背面から液晶表示パネル１１へ照射する。なお、バックライト装置１９は、赤、緑、青の光に加えて白の光を切り替えて照射する場合もあるものの、少なくとも赤、緑、青の光を切り替えて照射する。以下では、説明の便宜上、バックライト装置１９は、赤、緑、青の光を切り替えて照射するものとして説明する。
【００７２】
（液晶表示パネル１１の構成）
図１６は、図１５に示したＴＦＴ基板２１の構成を示す概略の回路図である。ＴＦＴ基板２１は、従来の、カラーフィルタを備えた液晶表示パネルのＴＦＴ基板の設計を利用して設計されている。この従来のＴＦＴ基板は、各行に含まれる各画素を赤用、緑用および青用の３つの副画素に分割している。
【００７３】
ＴＦＴ基板２１は、赤用、緑用および青用の３つの副画素のそれぞれに対応した第１から第３のソース信号線である、ソース信号線Ｓ１ａ〜Ｓ１ｃ，Ｓ２ａ〜Ｓ２ｃ，……を有する。
【００７４】
また、ＴＦＴ基板２１では、ゲートドライバＧＤ１が走査するゲート信号線Ｇ１ａ，Ｇ１ｂ，Ｇ１ｃ，……は、連続する３本のゲート信号線Ｇ１ａ〜Ｇ１ｃ，……が、ゲートドライバＧＤ１によって同時に走査されるように、互いに接続されている。この点は、ゲートドライバＧＤ２が走査するゲート信号線Ｇ２ａ，Ｇ２ｂ，Ｇ２ｃ，……、およびゲートドライバＧＤ３が走査するゲート信号線Ｇ３ａ，Ｇ３ｂ，Ｇ３ｃ，……についても同様である。すなわち、ゲート信号線Ｇ２ａ〜Ｇ２ｃ，……、は互いに接続され、同様に、ゲート信号線Ｇ３ａ〜Ｇ３ｃ，……は互いに接続されている。
【００７５】
なお、ここでは、同時に駆動されるゲート信号線Ｇを３本としたが、２本以上のゲート信号線Ｇについても、同様の原理にて駆動可能であることは言うまでもない。
【００７６】
また、ＴＦＴ基板２１は、上記３つの副画素ごとに、上記３つの副画素の領域を覆う一つの画素電極３２を備えている。また、ＴＦＴ基板２１は、上記３つの副画素ごとに、すなわち第１から第３のソース信号線ごとに、ＴＦＴ（スイッチング素子）３１を有する。
【００７７】
次に、連続する３行でのソース信号線Ｓ、ＴＦＴ３１および画素電極３２の接続関係を左側の第１の列の画素電極３２を例に説明する。連続する３行のうち、第１の行では、ソース信号線Ｓ１ａ〜Ｓ１ｃのうち、ソース信号線Ｓ１ａのみがＴＦＴ３１を介して画素電極３２と接続され、第２の行では、ソース信号線Ｓ１ｂのみがＴＦＴ３１を介して画素電極３２と接続され、第３の行では、ソース信号線Ｓ１ｃのみがＴＦＴ３１を介して画素電極３２と接続されている。なお、図１６において、ＴＦＴ３１に示した×印は、ＴＦＴ３１が画素電極３２と接続されていない状態（非接続状態）を示している。
【００７８】
（ＴＦＴ基板２１の実体的な構成）
次に、図１６に示したＴＦＴ基板２１の実体的な構成を図１７に基づいて説明する。図１７は、図１６に示したＴＦＴ基板２１の実体的な構成の一例を示す平面図である。図１８は、図１７に示した構成に即した、図１６に示したＴＦＴ基板２１の回路図に対応する回路図である。なお、図１７が示す構成は、図１６における左側の列の第２の行の画素電極３２の部分に相当する。
【００７９】
図１７に示すように、ＴＦＴ基板２１は、画素電極３２を構成するＩＴＯ(Indium Tin Oxide)電極３２ａ〜３２ｆを有している。すなわち、これら６つのＩＴＯ電極（副画素電極）３２ａ〜３２ｆは、液晶表示装置１の時分割駆動における１画素（１つの画素電極３２）を構成する。なお、左側の上下２つのＩＴＯ電極３２ａ，３２ｂは従来のＴＦＴ基板の赤用の副画素に対応し、中央の上下２つのＩＴＯ電極３２ｃ，３２ｄは従来のＴＦＴ基板の緑用の副画素に対応し、右側の上下２つのＩＴＯ電極３２ｅ，３２ｆは従来のＴＦＴ基板の青用の副画素に対応している。
【００８０】
ＩＴＯ電極３２ｃは、左側のＩＴＯ電極３２ａおよび右側のＩＴＯ電極３２ｅとそれぞれ２個所の電極間接続部３４にて接続されている。電極間接続部３４は、ソース信号線Ｓ１ｂ，Ｓ１ｃを跨いている（ソース信号線Ｓ１ｂ，Ｓ１ｃと非接続状態に交差している）。ＴＦＴ基板２１では、電極間接続部３４を２個所に設けることにより歩留まりを向上している。また、電極間接続部３４は、ＩＴＯ電極３２ｃとＩＴＯ電極３２ａとの間、およびＩＴＯ電極３２ｃとＩＴＯ電極３２ｅとの間の一部の領域のみに設けられている。これにより、画素電極３２とソース信号線Ｓ１ｂ，Ｓ１ｃとの重なりを最小限に抑制している。
【００８１】
このように、画素電極３２すなわち電極間接続部３４とソース信号線（ソース信号線Ｓ１ｂ，Ｓ１ｃ）との重なる面積は、極力小さいことが望ましい。これは、画素電極３２とソース信号線（ソース信号線Ｓ１ｂ，Ｓ１ｃ）との容量結合により、ソース信号の電位すなわち画素電極３２の電位が変動するのを抑制するためである。
【００８２】
なお、電極間接続部３４により隣り合うＩＴＯ電極同士を接続する構成は、他の全ての参考形態の液晶表示装置に対しても同様に適用可能である。
【００８３】
ＩＴＯ電極３２ｄは、同様にして、左側のＩＴＯ電極３２ｂおよび右側のＩＴＯ電極３２ｆと接続されている。
【００８４】
ＴＦＴ３１と画素電極３２との接続は、コンタクトホール３３にて行っている。図１７に示す例では、ＩＴＯ電極３２ｃ，３２ｄのみがＴＦＴ３１と接続状態であり、ＩＴＯ電極３２ａ，３２ｂおよびＩＴＯ電極３２ｅ，３２ｆは、ＴＦＴ３１と非接続状態である。この状態では、ソース信号線Ｓ（ソース信号線Ｓ１ｂ）の信号は、ＩＴＯ電極３２ｃ，３２ｄに対応したＴＦＴ３１からＩＴＯ電極３２ｃ，３２ｄのみへ与えられる。なお、３５はＣＳラインである。
【００８５】
図１７の例では、ＴＦＴ３１と画素電極３２との非接続状態は、ＴＦＴ３１のソース電極（またはドレイン電極）をＴＦＴ３１とコンタクトホール３３との間において切断することにより実現している（図１７中の×印）。この場合には、ソース電極（またはドレイン電極）のパターン変更のみにて、ＩＴＯ電極への電圧印加の有無に容易に対応可能である。なお、ＴＦＴ３１と画素電極３２との非接続状態は、ＴＦＴ３１と非接続状態とするＩＴＯ電極のパターンをなくすことにより行ってもよい。
【００８６】
次に、上述したソース信号線Ｓ、ゲート信号線Ｇ、ＴＦＴ３１およびＩＴＯ電極（副画素電極）３２の接続関係を図１８により詳細に説明する。
【００８７】
図１８に示すように、従来の設計を利用したＴＦＴ基板２１では、全ての副画素にＴＦＴ３１が形成されている。
【００８８】
ゲート信号線Ｇ１ａに接続されているＴＦＴ３１のうち、本来ソース信号線Ｓ１ａの信号をＩＴＯ電極（副画素電極）３２ａ,３２ｂに伝える目的の２つのＴＦＴ３１は、本来の目的を果たしている（本来の目的どおりに使用されている）。すなわち、当該２つのＴＦＴ３１は、ソース電極がソース信号線Ｓ１ａに接続され、ドレイン電極がＩＴＯ電極３２ａまたは３２ｂに接続されている。
【００８９】
一方、ゲート信号線Ｇ１ａに接続されているＴＦＴ３１のうち、本来ソース信号線Ｓ１ｂの信号をＩＴＯ電極（副画素電極）３２ｃ,３２ｄに伝える目的の２つのＴＦＴ３１、および本来ソース信号線Ｓ１ｃの信号をＩＴＯ電極（副画素電極）３２ｅ,３２ｆに伝える目的の２つのＴＦＴ３１は、本来の役目を果たしていない（本来の目的どおりに使用されていない）。すなわち、本来ソース信号線Ｓ１ｂの信号をＩＴＯ電極（副画素電極）３２ｃ,３２ｄに伝える目的の２つのＴＦＴ３１は、ソース信号線Ｓ１ｂに対するソース電極の接続が絶たれ、ＩＴＯ電極３２ｃ，３２ｄに対するドレイン電極の接続が切断されている。同様に、本来ソース信号線Ｓ１ｃの信号をＩＴＯ電極（副画素電極）３２ｅ,３２ｆに伝える目的の２つのＴＦＴ３１は、ソース信号線Ｓ１ｃに対するソース電極の接続が絶たれ、ＩＴＯ電極３２ｅ，３２ｆに対するドレイン電極の接続が切断されている。
【００９０】
また、ゲート信号線Ｇ１ｂに接続されているＴＦＴ３１のうち、本来ソース信号線Ｓ１ｂの信号をＩＴＯ電極（副画素電極）３２ｃ,３２ｄに伝える目的の２つのＴＦＴ３１は、本来の目的を果たしている（本来の目的どおりに使用されている）。この場合のＩＴＯ電極３２ｃ，３２ｄに対応した２つのＴＦＴ３１の状態は、ゲート信号線Ｇ１ａに接続されているＴＦＴ３１のうち、ＩＴＯ電極３２ａ,３２ｂに対応した上記の２つのＴＦＴ３１と同様の状態である。
【００９１】
一方、ゲート信号線Ｇ１ｂに接続されているＴＦＴ３１のうち、本来ソース信号線Ｓ１ａの信号をＩＴＯ電極３２ａ,３２ｂに伝える目的の２つのＴＦＴ３１、および本来ソース信号線Ｓ１ｃの信号をＩＴＯ電極３２ｅ,３２ｆに伝える目的の２つのＴＦＴ３１は、本来の役目を果たしていない（本来の目的どおりに使用されていない）。この場合のＩＴＯ電極３２ａ,３２ｂに対応した２つのＴＦＴ３１、およびＩＴＯ電極３２ｅ,３２ｆに対応した２つのＴＦＴ３１の状態は、ゲート信号線Ｇ１ａに接続されているＴＦＴ３１のうち、例えばＩＴＯ電極３２ｃ,３２ｄに対応した上記の２つのＴＦＴ３１と同様の状態である。
【００９２】
また、ゲート信号線Ｇ１ｃに接続されているＴＦＴ３１のうち、本来ソース信号線Ｓ１ｃの信号をＩＴＯ電極（副画素電極）３２ｅ,３２ｆに伝える目的の２つのＴＦＴ３１は、本来の目的を果たしている（本来の目的どおりに使用されている）。この場合のＩＴＯ電極３２ｅ，３２ｆに対応した２つのＴＦＴ３１の状態は、ゲート信号線Ｇ１ａに接続されているＴＦＴ３１のうち、ＩＴＯ電極３２ａ,３２ｂに対応した上記の２つのＴＦＴ３１と同様の状態である。
【００９３】
一方、ゲート信号線Ｇ１ｃに接続されているＴＦＴ３１のうち、本来ソース信号線Ｓ１ａの信号をＩＴＯ電極３２ａ,３２ｂに伝える目的の２つのＴＦＴ３１、および本来ソース信号線Ｓ１ｂの信号をＩＴＯ電極３２ｃ,３２ｄに伝える目的の２つのＴＦＴ３１は、本来の役目を果たしていない（本来の目的どおりに使用されていない）。この場合のＩＴＯ電極３２ａ,３２ｂに対応した２つのＴＦＴ３１、およびＩＴＯ電極３２ｃ,３２ｄに対応した２つのＴＦＴ３１の状態は、ゲート信号線Ｇ１ａに接続されているＴＦＴ３１のうち、例えばＩＴＯ電極３２ｃ,３２ｄに対応した上記の２つのＴＦＴ３１と同様の状態である。
【００９４】
ＴＦＴ基板２１では、上記のような、ソース信号線Ｓ、ゲート信号線Ｇ、ＴＦＴ３１およびＩＴＯ電極３２の接続関係が繰り返されている。
【００９５】
（液晶表示装置１の動作および利点）
上記の構成において、液晶表示装置１は、バックライト装置１９がＲＧＢの光を時間分割により発光してカラー表示を行う、従来の時分割駆動型液晶表示装置と同様の動作を行う。すなわち、液晶表示装置１は、バックライト装置１９が全面にＲＧＢの光を時間分割して発光し、この発光に同期して液晶表示パネル１１の表示を切り替えることによりカラー表示を行う。
【００９６】
液晶表示装置１は、カラーフィルタを使用する既存の液晶表示パネルの設計、特に画素部分についての設計を利用している。したがって、液晶表示装置１では、例えば画素領域において電圧を印加するためのＩＴＯ電極の設計を変えることのみが必要となる。これにより、液晶表示装置１は、設計リソースを節約し、設計変更するマスクの数を減らし、設計コストを低減することができる。この結果、液晶表示装置１は安価に製造することができる。勿論、構造が同様であれば、新規に設計することも可能なことは言うまでもない。
【００９７】
なお、本参考形態では、３本のゲート信号線Ｇを互いに接続して１単位のゲート信号線とし、これら１単位のゲート信号線毎にゲートドライバＧＤからゲート電圧を印加する場合について示した。しかしながら、１単位のゲート信号線は、ｍ（ｍ≧２）本のゲート信号線を互いに接続する構成であってもよい。
【００９８】
〔参考形態２〕
本発明の他の参考形態を図面に基づいて以下に説明する。なお、説明の便宜上、前記参考形態にて説明した部材と同じ機能を有する部材については、同じ符号を付記し、その説明を省略する。
【００９９】
（液晶表示装置２の概要）
図１９は、本参考形態の液晶表示装置２の構成を示す概略のブロック図である。図１９に示すように、液晶表示装置２は、液晶表示装置１の液晶表示パネル１１に代えて液晶表示パネル１２を備えている。
【０１００】
前述の液晶表示装置１では、表示制御回路１８が出力したスタートパルスは、ゲートドライバＧＤ１のみに入力され、ゲートドライバＧＤ１からゲートドライバＧＤ２へ、ゲートドライバＧＤ２からゲートドライバＧＤ３へ順次入力されていた。これに対し、液晶表示装置２では、表示制御回路１８が出力したスタートパルスは、ゲートドライバＧＤ１〜ＧＤ３に対してそれぞれ入力される。
【０１０１】
（液晶表示パネル１２の構成）
図２０は、液晶表示パネル１２が備えるＴＦＴ基板４１の構成を示す概略の回路図である。ＴＦＴ基板（アクティブマトリクス基板）４１は、ＴＦＴ基板２１と同様、従来の、カラーフィルタを備えた液晶表示パネルのＴＦＴ基板の設計を利用して設計されている。
【０１０２】
但し、ＴＦＴ基板４１では、図２０に示すように、ＴＦＴ３１は、各副画素に形成されておらず、複数の副画素によって構成される画素電極３２に電圧を印加するＴＦＴ３１のみが形成されている。この場合、従来のＴＦＴ基板の設計を利用して各副画素に形成されるＴＦＴ３１は、必要なＴＦＴ３１のみを残し、不要なＴＦＴ３１は、エッチングによって除去する。すなわち、このような構成のＴＦＴ基板４１は、従来のＴＦＴ基板の設計（従来の画素デザイン、従来のＴＦＴデザイン）を利用することができる。この従来のＴＦＴ基板は、各行に含まれる各画素を赤用、緑用および青用の３つの副画素に分割している。
【０１０３】
ＴＦＴ基板４１は、ＴＦＴ基板２１と同様、赤用、緑用および青用の３つの副画素のそれぞれに対応した第１から第３のソース信号線である、ソース信号線Ｓ１ａ〜Ｓ１ｃ，Ｓ２ａ〜Ｓ２ｃ，……を有する。
【０１０４】
また、ＴＦＴ基板４１は、ＴＦＴ基板２１と同様、上記３つの副画素ごとに、上記３つの副画素の領域を覆う一つの画素電極３２を備えている。
【０１０５】
また、ＴＦＴ基板４１は、ＴＦＴ基板２１と異なり、液晶表示パネル１２の画面の上１／３の領域（以下、第１領域と称する）にゲート信号線Ｇ１ａ〜Ｇ１ｃ，……を有し、液晶表示パネル１２の画面の中１／３の領域（以下、第２領域と称する）にゲート信号線Ｇ２ａ〜Ｇ２ｃ，……を有し、液晶表示パネル１２の画面の下１／３の領域（以下、第３領域と称する）にゲート信号線Ｇ３ａ〜Ｇ３ｃ，……を有する。
【０１０６】
液晶表示パネル１２は、第１領域のゲート信号線Ｇ１ａ〜Ｇ１ｃ，……をゲートドライバＧＤ１によって走査し、第２領域のゲート信号線Ｇ２ａ〜Ｇ２ｃ，……をゲートドライバＧＤ２によって走査し、第３領域のゲート信号線Ｇ３ａ〜Ｇ３ｃ，……をゲートドライバＧＤ３によって走査する。第１〜第３領域でのゲート信号線Ｇの走査方向は、いずれも画面の上から下へ向う方向である。この場合、ゲートドライバＧＤ１〜ＧＤ３によるゲート信号線Ｇの走査は、同時に開始され、並行して行われる。
【０１０７】
次に、第１〜第３領域でのソース信号線Ｓ、ＴＦＴ３１および画素電極３２の接続関係を左側の第１の列の画素電極３２を例に説明する。
【０１０８】
第１領域では、ソース信号線Ｓ１ａ〜Ｓ１ｃのうち、ソース信号線Ｓ１ａのみがＴＦＴ３１を介して画素電極３２と接続され、第２領域では、ソース信号線Ｓ１ｂのみがＴＦＴ３１を介して画素電極３２と接続され、第３領域では、ソース信号線Ｓ１ｃのみがＴＦＴ３１を介して画素電極３２と接続されている。
【０１０９】
（ＴＦＴ基板４１の実体的な構成）
次に、図２０に示したＴＦＴ基板４１の実体的な構成を図２１に基づいて説明する。図２１は、図２０に示したＴＦＴ基板４１の実体的な構成の一例を示す平面図である。図２２は、図２１に示した構成に即した、図２０に示したＴＦＴ基板４１の回路図に対応する回路図である。なお、図２１が示す構成は、図２０における第２領域の左側の列の第１の行の画素電極３２の部分に相当する。
【０１１０】
図２１に示すように、ＴＦＴ基板４１は、ＴＦＴ基板２１と同様、１つの画素電極３２を構成するＩＴＯ電極３２ａ〜３２ｆを有している。画素電極３２に関する構成については、ＴＦＴ基板２１と同様である。ＴＦＴ３１と画素電極３２との接続は、コンタクトホール３３にて行っている。
【０１１１】
次に、ＣＯＦ（Chip On Film）を使用したゲートドライバＧＤ１〜ＧＤ３と液晶表示パネル１２との接続部の構成について説明する。図２３の（ａ）は、ＣＦを使用した従来の液晶表示装置における、ＣＯＦを使用したゲートドライバＧＤ１〜ＧＤ３と液晶表示パネルとの接続部の構成を示す説明図である。図２３の（ｂ）は、本参考形態の液晶表示装置２における、ＣＯＦを使用したゲートドライバＧＤ１〜ＧＤ３と液晶表示パネル１２との接続部の構成を示す説明図である。
【０１１２】
図２３の（ａ）に示すように、ＣＦを使用する従来の液晶表示装置では、第１ラインから最終ラインまで順次走査する。すなわち、表示制御回路１８からゲートドライバＧＤ１にスタートパルスが入力されると、ゲートドライバＧＤ１が走査を開始する。ゲートドライバＧＤ１が走査を終了すると、ゲートドライバＧＤ１からゲートドライバＧＤ２に対して、走査を開始するための信号が出力される。これにより、ゲートドライバＧＤ２が走査を開始する。ゲートドライバＧＤ２が走査を終了すると、同様にして、ゲートドライバＧＤ３が走査を開始する。
【０１１３】
これに対し、本参考形態の液晶表示装置２では、従来の液晶表示装置が備えていたＣＯＦあるいはその設計を利用し、ゲートドライバＧＤ１〜ＧＤ３が同時に並行して第１〜第３領域を走査する。具体的には、表示制御回路１８からゲートドライバＧＤ１〜ＧＤ３に対して同時にスタートパルスが入力される（図２３（ｂ）参照）。ＣＯＦのフィルムは、第１のＣＯＦのフィルムと第２のＣＯＦのフィルムとの接続、および第２のＣＯＦのフィルムと第３のＣＯＦのフィルムとの接続を切断し、それぞれが独立したフィルムとなっている。もちろん、このような構成に限定されず、同様の機能を有するＣＯＦフィルムを新規に設計するこが可能であることは言うまでもない。
【０１１４】
（液晶表示装置２の動作および利点）
上記の構成において、液晶表示装置２は、液晶表示装置１と同様に、バックライト装置１９がＲＧＢの光を時間分割してカラー表示を行う。
【０１１５】
液晶表示装置２は、画面を上下方向へ第１〜第３領域に分割し、それぞれの領域を個別のゲートドライバＧＤ１〜ＧＤ３にて並行して走査している。したがって、液晶表示装置２は、１８０Ｈｚ駆動であり、１フレームの時間が５．３ｍｓであるものの、各ソース信号線Ｓが書き込むライン数は１／３となる。これにより、１つのソース信号線Ｓについての書込み時間は、６０Ｈｚ駆動の場合と同様、６０Ｈｚとすることができ、液晶層２３へ十分に電荷を充電することができる。
【０１１６】
ここで、赤緑青の各光を照射する前に、液晶の応答を完了させるための時間を適宜設けることを行った。
【０１１７】
また、各ゲートドライバＧＤ１〜ＧＤ３の各出力端子（各ゲートドライバＧＤ１〜ＧＤ３が有する例えば２５６個の出力端子の各々）は、一本のゲート信号線Ｇに対してのみ電圧を印加し、電流を供給するようになっている。このようなゲートドライバＧＤ１〜ＧＤ３とゲート信号線Ｇとの関係は、従来の６０Ｈｚ駆動のＣＦ型の液晶表示装置を同様である。
【０１１８】
すなわち、各ゲートドライバＧＤ１〜ＧＤ３の負荷は、例えばＴＦＴ基板２１（図１６参照）を有する液晶表示装置１（図１４参照）の各ゲートドライバＧＤ１〜ＧＤ３の負荷と比較して１／３になっている。
【０１１９】
したがって、本参考形態の液晶表示装置２は、各ゲートドライバＧＤ１〜ＧＤ３の負荷が、従来の６０Ｈｚ駆動のＣＦ型の液晶表示装置と同様、軽いものとなる。これにより、各ゲートドライバＧＤ１〜ＧＤ３には、既存の６０Ｈｚ駆動のゲートドライバを使用することができる。
【０１２０】
ゲートドライバＧＤ１〜ＧＤ３周りについては、既存の設計ルールを利用することが可能であり、特段の新たな設計が不要である。したがって、既存のＴＶ用の設計を利用して、設計の微修正のみにより、大型の透明型の液晶表示パネル１２を安価かつ最低限の工数変更にて実現することができる。
【０１２１】
また、本参考形態の液晶表示装置２は、液晶表示装置１と同様、カラーフィルタを使用する既存の液晶表示パネルの設計、特に画素部分についての設計を利用している。すなわち、液晶表示装置２では、電圧を印加するため必要なＴＦＴ２１のみを残し、その他のＴＦＴは削除するとう設計変更のみが必要となる。これにより、液晶表示装置２は、ＴＦＴ３１を削除するという工数はあるものの、設計リソースを節約し、設計変更するマスクの数を減らし、設計コストを低減することができる。この結果、液晶表示装置２は安価に製造することができる。
【０１２２】
なお、本参考形態では、液晶表示パネル１２の画面が第１〜第３領域に３分割されている場合について示した。しかしながら、液晶表示パネル１２の画面の分割は、これに限定されず、ｎ（ｎ≧２）分割であってもよい。この点は、以下の他の参考形態においても同様である。
【０１２３】
〔参考形態３〕
本発明のさらに他の参考形態を図面に基づいて以下に説明する。なお、説明の便宜上、前記参考形態にて説明した部材と同じ機能を有する部材については、同じ符号を付記し、その説明を省略する。
【０１２４】
（液晶表示装置４の概要）
本参考形態の液晶表示装置４（図１９参照）は、液晶表示装置２の液晶表示パネル１２（ＴＦＴ基板４１）と同じ液晶表示パネル１２（ＴＦＴ基板４１）を備えている。
【０１２５】
（液晶表示装置４の構成）
図２４は、液晶表示装置４が備えるＴＦＴ基板４１の概略の回路、および各ゲートドライバＧＤ１〜ＧＤ３（図１９参照）による走査方向を示す説明図である。
【０１２６】
液晶表示装置４では、図２４に示すように、ゲートドライバＧＤ１は、第１領域を上から下へ走査し、ゲートドライバＧＤ２は、第２領域を下から上へ走査し、ゲートドライバＧＤ３は、第３領域を上から下へ走査するようになっている。液晶表示装置４の他の構成は、液晶表示装置２と同様である。
【０１２７】
（液晶表示装置４の動作および利点）
上記の構成において、液晶表示装置４の動作については、ゲートドライバＧＤ２の走査方向が液晶表示装置２のゲートドライバＧＤ２の走査方向と異なる以外、液晶表示装置２と同様である。
【０１２８】
ここで、一般に時間分割駆動の液晶表示装置では、最初に走査される画素には十分な反応時間が液晶層２３に与えられる一方、最後に走査される画素には十分な反応時間が液晶層２３に与えられず、その状態にてバックライトが点灯される。この結果、最初に走査される画素と最後に走査される画素とでは、輝度に差が生じることとなる。
【０１２９】
液晶表示装置４では、ゲートドライバＧＤ１による第１領域の走査を第１領域の上から下へ向かって行い、ゲートドライバＧＤ２による第２領域の走査を第２領域の下から上へ向かって行い、ゲートドライバＧＤ３による第３領域の走査を第３領域の上から下へ向かって行う。したがって、第１領域の最下部の画素と、この画素と隣り合う、第２領域の最上部の画素とは、いずれも最後に走査される。また、第２領域の最下部の画素と、この画素と隣り合う、第３領域の最上部の画素とは、いずれも最初に走査される。このように、液晶表示装置４では、第１領域と第２領域との隣り合う画素同士、および第２領域と第３領域との隣り合う画素同士は、同じタイミングにて走査される。
【０１３０】
これにより、第１領域の最下部の画素と、この画素と隣り合う、第２領域の最上部の画素との間、および第２領域の最下部の画素と、この画素と隣り合う、第３領域の最上部の画素との間には、輝度差が生じ難い。この結果、液晶表示装置４は、輝度ムラの少ない良好な表示が可能となっている。液晶表示装置４のその他の利点については、液晶表示装置２と同様である。
【０１３１】
以上の参考形態の構成により、時分割駆動型液晶表示装置を安価に最低限の工数で実現でき、大型の透明ディスプレイを実現することができる。
【０１３２】
なお、図１８、図２２に示したＴＦＴ基板２１，４１には、いわゆるＭＰＤ（マルチ・ピクセル・ドライビング）に用いられるＴＦＴ基板を使用することができる。ＭＰＤを使用した構成では、１つのサブ画素に少なくとも２つのサブ画素電極が設けられ、これら２つのサブ画素電極が別々のトランジスタを介して同一のデータ信号線および同一の走査信号線に接続され、さらに、これら２つのサブ画素電極の一方と容量を形成する第１ＣＳ配線（保持容量配線）と、他方と容量を形成する第２ＣＳ配線とが設けられる。これら第１および第２ＣＳ配線には異なる位相のＣＳ信号（変調信号）が供給される。これにより、中間調を表示するサブ画素（例えば、赤・緑・青のいずれかを表示するサブ画素）に、明領域と暗領域を形成することができ、視野角特性の改善や精細感の向上が図られる。
【０１３３】
〔参考形態のまとめ〕
上記参考形態の態様１に係る液晶表示装置は、アクティブマトリクス基板（ＴＦＴ基板４１）を有する液晶表示パネル１２，１３と、バックライト装置１９とを備え、前記バックライト装置１９が全面に少なくとも赤緑青の光を時間分割して発光し、この発光に同期して前記液晶表示パネル１２，１３の表示を切り替えることによりカラー表示を行う液晶表示装置において、１つの画素がソース信号線Ｓにより３つの副画素に分割され、前記３つの副画素ごとに副画素電極を有し、前記１つの画素に対応する複数の前記副画素電極同士が、前記ソース信号線Ｓと非接続状態に交差する電極間接続部３４，５１により接続されて１つの画素電極３２を形成し、前記画素電極３２には、１つのスイッチング素子（ＴＦＴ３１）が前記ソース信号線Ｓから電圧を印加できるように接続され、前記液晶表示パネル１２，１３の画面がゲート信号線Ｄの並び方向にｎ（ｎ≧２）個の領域（第１領域〜第３領域）に分割されており、各分割領域のゲート信号線Ｇは、各分割領域にて同時に１ラインずつ走査され、前記バックライト装置１９は、前記各分割領域のゲート信号線の走査完了後に発光する。
【０１３４】
上記の構成によれば、液晶表示装置の液晶表示パネル１２，１３の設計には、カラーフィルタを使用する既存の液晶表示パネルの設計を利用することができる。これにより、液晶表示装置は、設計リソースを節約し、設計変更するマスクの数を減らし、設計コストを低減することができる。この結果、液晶表示装置を安価に製造することができる。
【０１３５】
また、液晶表示パネル１２，１３の画面がゲート信号線Ｇの並び方向にｎ（ｎ≧２）個の領域に分割されており、各分割領域のゲート信号線Ｇは、各分割領域にて同時に１ラインずつ走査される。これにより、駆動周波数を１／ｎに低下させて、ゲートドライバおよびソースドライバの負担を軽減することができる。
【０１３６】
上記参考形態の態様２に係る液晶表示装置は、上記態様１において、前記３つの副画素のうちのいずれか一つの副画素のみが前記スイッチング素子（ＴＦＴ３１）を有する構成としてもよい。
【０１３７】
上記の構成によれば、液晶表示装置は、従来の液晶表示装置の設計を利用し、３つの副画素のうちのいずれか一つの副画素のみのスイッチング素子を残し、他の副画素のスイッチング素子を除去することにより容易に製造することができる。
【０１３８】
上記参考形態の態様３に係る液晶表示装置は、上記態様１において、前記３つの副画素はそれぞれスイッチング素子（ＴＦＴ３１）を有し、前記３つの副画素のスイッチング素子のうちのいずれか一つのみが、前記ソース信号線Ｓから電圧を印加できるように前記画素電極３２に接続されている構成としてもよい。
【０１３９】
上記の構成によれば、液晶表示装置は、従来の液晶表示装置の設計を利用し、３つの副画素がそれぞれ有するスイッチング素子のうちのいずれか一つのみをソース信号線Ｓから電圧を印加できるように画素電極３２に接続することにより、容易に製造することができる。
【０１４０】
上記参考形態の態様４に係る液晶表示装置は、上記態様１から３のいずれか１態様において、前記の各分割領域での走査の始端の前記ゲート信号線Ｇは、前記ゲート信号線Ｇの並び方向における同一側の端部の前記ゲート信号線Ｇである構成としてもよい。
【０１４１】
上記の構成によれば、各分割領域での走査の始端のゲート信号線Ｇは、ゲート信号線Ｇの並び方向における同一側の端部のゲート信号線Ｇである構成としてもよい。これにより、各分割領域を対応する各ゲートドライバＧＤにて走査する従来の構成をそのまま適用することができる。
【０１４２】
上記参考形態の態様５に係る液晶表示装置は、上記態様１から３のいずれか１態様において、前記の各分割領域（第１領域〜第３領域）での走査の始端の前記ゲート信号線Ｇは、隣り合う前記分割領域（第１領域と第２領域同士、第２領域と第３領域同士）の一方では、前記ゲート信号線Ｇの並び方向における一端側の前記ゲート信号線であり、他方では、前記ゲート信号線の並び方向における他端側の前記ゲート信号線である構成としてもよい。
【０１４３】
上記の構成によれば、各分割領域での走査の始端のゲート信号線Ｇは、隣り合う分割領域の一方では、ゲート信号線Ｇの並び方向における一端側のゲート信号線であり、他方では、ゲート信号線の並び方向における他端側のゲート信号線である。したがって、例えば終端のゲート信号線Ｇに対応する画素の液晶層に十分な反応時間が与えられない場合であっても、上記画素と隣り合う他の分割領域の端部の画素との間には輝度差が生じ難い。これにより、液晶表示装置は、輝度ムラの少ない良好な表示が可能である。
【０１４４】
上記参考形態の態様６に係る液晶表示装置は、アクティブマトリクス基板（ＴＦＴ基板２１）を有する液晶表示パネル１１と、バックライト装置１９とを備え、前記バックライト装置１９が全面に少なくとも赤緑青の光を時間分割して発光し、この発光に同期して前記液晶表示パネル１１の表示を切り替えることによりカラー表示を行う液晶表示装置において、１つの画素がソース信号線Ｓにより３つの副画素に分割され、前記３つの副画素ごとにスイッチング素子（ＴＦＴ３１）および副画素電極を有し、前記１つの画素に対応する複数の前記副画素電極同士が、前記ソース信号線Ｓと非接続状態に交差する電極間接続部３４，５１により接続されて１つの画素電極３２を形成し、前記１つの画素に対応する複数のスイッチング素子のうちの１つのみが前記画素電極３２に電圧を印加できるように接続されている。
【０１４５】
上記の構成によれば、液晶表示装置の液晶表示パネル１１の設計には、カラーフィルタを使用する既存の液晶表示パネルの設計を利用することができる。これにより、液晶表示装置は、設計リソースを節約し、設計変更するマスクの数を減らし、設計コストを低減することができる。この結果、液晶表示装置を安価に製造することができる。
【０１４６】
上記参考形態の態様７に係る液晶表示装置は、上記態様６において、ｍ（ｍ≧２）本のゲート信号線Ｇを互いに接続して１単位のゲート信号線とし、これら１単位のゲート信号線毎にゲートドライバＧＤからゲート電圧が印加される構成としてもよい。
【０１４７】
上記の構成によれば、液晶表示装置は、ｍ（ｍ≧２）本のゲート信号線Ｇを互いに接続して１単位のゲート信号線とし、これら１単位のゲート信号線毎にゲートドライバＧＤからゲート電圧が印加される。これにより、駆動周波数を１／ｎに低下させて、ソースドライバＳＤの負担を軽減することができる。
【０１４８】
上記参考形態の態様８に係る液晶表示装置は、上記態様１，３，６または７のいずれか１態様において、前記画素電極３２に電圧を印加できるように接続されている前記スイッチング素子（ＴＦＴ３１）以外のスイッチング素子（ＴＦＴ３１）は、ドレイン電極あるいはソース電極が切断されている構成としてもよい。
【０１４９】
上記の構成によれば、画素電極３２に電圧を印加できるように接続されているスイッチング素子（ＴＦＴ３１）以外のスイッチング素子（ＴＦＴ３１）は、ドレイン電極あるいはソース電極が切断され、画素電極と非接続状態とすることにより、３つの副画素ごとにスイッチング素子を有する従来の液晶表示装置の設計を容易に利用することができる。
【０１５０】
上記参考形態の態様９に係る液晶表示装置は、上記態様１から８のいずれか１態様において、前記電極間接続部５１は、前記ソース信号線Ｓと非接続状態に交差するゲート層５２を含んでいる構成としてもよい。
【０１５１】
上記の構成によれば、電極間接続部５１はソース信号線Ｓと非接続状態に交差するゲート層５２を含んでいる。すなわち、１つの画素に対応する複数の副画素電極同士が、ソース信号線Ｓと非接続状態に交差するゲート層５２を含む電極間接続部５１により接続されて１つの画素電極３２を形成している。
【０１５２】
ゲート層５２は、ＩＴＯと比較して低抵抗のアルミニウム等の金属からなり、線幅を細くしても十分に電荷を通すことができ、画素の充電が可能である。これにより、電極間接続部５１にＩＴＯを使用する場合と比較して、ソース信号線Ｓとの重なり面積を小さくして寄生容量を小さくし、ソース信号の電位すなわち画素電極３２の電位変動を抑制することができる。
【０１５３】
上記参考形態の態様１０に係る液晶表示装置は、上記態様１から５のいずれか１態様において、前記ｎ個の領域ごとに、チップオンフィルムにて構成されゲートドライバＧＤ１〜ＧＤ３を備え、前記ゲートドライバＧＤ１〜ＧＤ３を搭載するフィルムは、始端側のゲートドライバに入力されたスタートパルスを終端側のゲートドライバへ向かって順次送るようにした配線パターンを、各ゲートドライバＧＤ１〜ＧＤ３に対してスタートパルスを並行して入力できるようにした配線パターンに修正されている構成としてもよい。
【０１５４】
上記の構成によれば、ゲートドライバＧＤ１〜ＧＤ３を搭載するチップオンフィルムは、始端側のゲートドライバに入力されたスタートパルスを終端側のゲートドライバへ向かって順次送るようにした配線パターンを有する従来の構成を利用して容易に構成することができる。
【０１５５】
〔まとめ〕
本発明の態様１に係る液晶表示装置は、分割された３つの副画素からなる画素を複数備えた液晶表示装置であって、前記副画素ごとに設けられた副画素電極１０１ａ〜１０１ｃと、前記副画素電極のうちの隣り合う副画素電極同士を接続する電極間接続部１０３とを有し、前記電極間接続部１０３は、隣り合う副画素の液晶配向方向の境界同士がつながる位置に設けられている。
【０１５６】
上記の構成によれば、液晶表示装置の液晶表示パネル１１１，１３１〜１３３の液晶配向方向は、電極間接続部１０３を設けていない場合の液晶配向方向に対して、大きなずれは生じない。したがって、電極間接続部１０３を設けることによる、各副画素内の液晶配向方向への影響を抑制することができる。この結果、液晶表示装置は輝度低下や表示不良の発生を抑制することができる。
【０１５７】
また、液晶表示パネル１１１，１３１〜１３３のＴＦＴ基板２１は、従来の設計を利用することができるので、設計コストを低減し、低価格にて例えばフィールドシーケンシャルカラー方式の液晶表示装置を製造することができる。
【０１５８】
本発明の態様２に係る液晶表示装置は、上記態様１において、前記電極間接続部１０３は、前記副画素の長辺の中心部に設けられている構成としてもよい。
【０１５９】
上記の構成によれば、電極間接続部１０３を設けることによる、各副画素内の液晶配向方向への影響を高い精度にて抑制し、液晶表示装置は輝度低下や表示不良の発生を防止することができる。
【０１６０】
本発明の態様３に係る液晶表示装置は、上記態様１において、液晶配向方向を制御する構造物１４３を有し、前記構造物１４３は、少なくとも２つが隣り合う副画素に跨るように形成され、前記電極間接続部１０３は、前記２つの構造物１４３ごとに設けられ、かつ対応する前記構造物１４３の少なくとも一部と重なるように設けられている構成としてもよい。
【０１６１】
上記の構成によれば、液晶配向方向を制御する構造物１４３を有する構成に対応でき、液晶表示装置の輝度低下や表示不良の発生を抑制することができる。
【０１６２】
本発明の態様４に係る液晶表示装置は、上記態様３において、前記電極間接続部１０３は、電極間接続部１０３の中心線が、対応する構造物１４３の中心線と重なるように設けられている構成としてもよい。
【０１６３】
上記の構成によれば、電極間接続部１０３を設けることによる、各副画素内の液晶配向方向への影響を高い精度にて抑制し、液晶表示装置は輝度低下や表示不良の発生を防止することができる。
【０１６４】
本発明の態様５に係る液晶表示装置は、上記態様３または４において、前記構造物１４５は、隣り合う副画素電極１０１ａ〜１０１ｃの間において、副画素電極１０１ａ〜１０１ｃの長辺方向に沿って延びる分岐延設部１４３ａが除去されている構成としてもよい。
【０１６５】
上記の構成によれば、構造物１４５は分岐延設部１４３ａが除去されているので、電極間接続部１０３を設けた場合に、分岐延設部１４３ａが存在することによる液晶配向方向の乱れを生じない。これにより、電極間接続部１０３を設けることによる液晶配向方向のずれをさらに抑制し、液晶表示装置は輝度低下や表示不良の発生をさらに抑制することができる。
【０１６６】
本発明の態様６に係る液晶表示装置は、上記態様１から５のいずれか１態様において、前記３つの副画素は、１つの画素がソース信号線にて３分割されることに形成され、アクティブマトリクス基板（ＴＦＴ基板２１）を有する液晶表示パネル１１１，１３１〜１３３と、バックライト装置１９とを備え、前記バックライト装置１９が全面に少なくとも赤緑青の光を時間分割して発光し、この発光に同期して前記液晶表示パネル１１１，１３１〜１３３の表示を切り替えることによりカラー表示を行う構成としてもよい。
【０１６７】
上記の構成によれば、液晶表示装置は、バックライト装置１９が赤緑青の光を時間分割して発光してカラー表示を行う時分割駆動型液晶表示装置として構成することができる。
【０１６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１６９】
１０１，１２１〜１２３    画素電極
１０１ａ〜１０１ｃ，１２１ａ〜１２１ｃ    副画素電極
１０２，１０２ａ，１０２ｂ    液晶分子
１０３    電極間接続部
１０４    液晶配向境界
１１１，１３１〜１３３    液晶表示パネル
１４１    スリット
１４２    微細スリット
１４３，１４５    構造物
１４３ａ  分岐延設部
１４４    Ｃｓ電極
【図１】
2019168615.tif 000003
【図２】
2019168615.tif 000004
【図３】
2019168615.tif 000005
【図４】
2019168615.tif 000006
【図５】
2019168615.tif 000007
【図６】
2019168615.tif 000008
【図７】
2019168615.tif 000009
【図８】
2019168615.tif 000010
【図９】
2019168615.tif 000011
【図１０】
2019168615.tif 000012
【図１１】
2019168615.tif 000013
【図１２】
2019168615.tif 000014
【図１３】
2019168615.tif 000015
【図１４】
2019168615.tif 000016
【図１５】
2019168615.tif 000017
【図１６】
2019168615.tif 000018
【図１７】
2019168615.tif 000019
【図１８】
2019168615.tif 000020
【図１９】
2019168615.tif 000021
【図２０】
2019168615.tif 000022
【図２１】
2019168615.tif 000023
【図２２】
2019168615.tif 000024
【図２３】
2019168615.tif 000025
【図２４】
2019168615.tif 000026